(57)【要約】      （修正有）【課題】複数のサービススイッチに対して、いかなる設定値が設定された場合であっても、矛盾することなく、同報送信の禁止、および、宛先確認表示の設定に係るＵＩ画面を表示することを可能にする。【解決手段】操作手段と、表示手段と、データ蓄積手段と、宛先記憶手段と、オペレータによる前記操作手段の操作によって前記宛先記憶手段に１つ以上の送信宛先を登録するための宛先設定手段と、前記宛先記憶手段に登録された宛先数を判断する宛先数判断手段と、前記宛先記憶手段に登録された宛先を前記表示手段に表示する／しないを判定する表示判定手段と、前記表示判定手段において、表示すると判定された場合に、前記宛先記憶手段に登録された宛先を前記表示手段に表示する表示制御手段と、前記データ蓄積手段に蓄積されたデータを前記宛先記憶手段に登録された１つ以上の宛先に送信する送信手段と、を有する。【選択図】図４
2013207462.tif 000002
【特許請求の範囲】
【請求項１】
オペレータが装置を操作するための操作手段と、
オペレータに装置の状態を示すための表示手段と、
送信するデータを蓄積するためのデータ蓄積手段と、
１つ以上の送信宛先を登録するための宛先記憶手段と、
オペレータによる前記操作手段の操作によって前記宛先記憶手段に１つ以上の送信宛先を登録するための宛先設定手段と、
前記宛先記憶手段に登録された宛先数を判断する宛先数判断手段と、
前記宛先記憶手段に登録された宛先を前記表示手段に表示する／しないを判定する表示判定手段と、
前記表示判定手段において、表示すると判定された場合に、前記宛先記憶手段に登録された宛先を前記表示手段に表示する表示制御手段と、
前記データ蓄積手段に蓄積されたデータを前記宛先記憶手段に登録された１つ以上の宛先に送信する送信手段と、
を有することを特徴とするデータ通信装置。
【発明の詳細な説明】
【技術分野】
【０００１】
本発明は、例えばファクシミリデータ等の各種データを伝送する機能を有するデータ通信装置およびデータ通信方法および記憶媒体に関する。
【背景技術】
【０００２】
従来、ファクシミリ装置を使ってデータを送信する際、誤って無関係の相手先にデータを送付することを防止するために、データ送信の際に宛先を確認するための画面を表示する機能が提供されている。
【０００３】
また一方で、同一のデータを２つ以上の宛先に送信できる機能、すなわち同報送信の機能を有するデータ通信装置が提供されている。特に近年は、あらゆるデータ通信装置において操作が簡略化される傾向にあり、容易な操作で同報送信を行えるものが主流となっている。
【先行技術文献】
【特許文献】
【０００４】
【特許文献１】特開平１１−２２５２６０号公報
【発明の概要】
【発明が解決しようとする課題】
【０００５】
本発明は、宛先が一つの際に宛先確認画面を表示する機能と、同報送信を許可する機能とが、同一のファクシミリ装置に実装された際に、それらの機能を制御するサービススイッチの設定値と、そのサービススイッチをユーザーにより設定可能なＵＩ画面の組合せを提供するものである。
【課題を解決するための手段】
【０００６】
オペレータが装置を操作するための操作手段と、
オペレータに装置の状態を示すための表示手段と、
送信するデータを蓄積するためのデータ蓄積手段と、
１つ以上の送信宛先を登録するための宛先記憶手段と、
オペレータによる前記操作手段の操作によって前記宛先記憶手段に１つ以上の送信宛先を登録するための宛先設定手段と、
前記宛先記憶手段に登録された宛先数を判断する宛先数判断手段と、
前記宛先記憶手段に登録された宛先を前記表示手段に表示する／しないを判定する表示判定手段と、
前記表示判定手段において、表示すると判定された場合に、前記宛先記憶手段に登録された宛先を前記表示手段に表示する表示制御手段と、
前記データ蓄積手段に蓄積されたデータを前記宛先記憶手段に登録された１つ以上の宛先に送信する送信手段と、
を有することを特徴とするデータ通信装置。
【発明の効果】
【０００７】
複数のサービススイッチに対して、いかなる設定値が設定された場合であっても、矛盾することなく、同報送信の禁止、および、宛先確認表示の設定に係るＵＩ画面をユーザーに表示することが可能である。
【図面の簡単な説明】
【０００８】
【図１】本発明の一実施例によるファクシミリ装置の構成を示すブロック図である。
【図２】宛先確認表示を設定するためのＵＩ画面の例である。
【図３】同報送信の禁止を設定するためのＵＩ画面の例である。
【図４】本発明の実施例に係るファクシミリ装置の送信動作の一例を示すフロー図である。
【発明を実施するための形態】
【０００９】
以下、図面を参照して本発明の実施例を説明する。ここでは特に、データ通信装置として、画像データの通信を行うファクシミリ装置を例として説明する。
【００１０】
図１は、本発明の実施例に係るファクシミリ装置の構成を示すブロック図である。
【００１１】
同図において、ＣＰＵ１０１はシステム制御部であり、装置全体を制御する。ＲＯＭ１０２は、ＣＰＵ１０１の制御プログラムを格納するものである。ＲＡＭ１０３はＳＲＡＭ等で構成され、プログラム制御変数等を格納するためのものである。また、オペレータが登録した送信宛先や各種設定値、装置の管理データ類、各種ワーク用バッファもＲＡＭに格納されるものである。蓄積メモリ１０４はＤＲＡＭ等で構成され、画像データを蓄積するものである。
【００１２】
外部表示部１０５は、ＬＣＤ、ＬＥＤ等でユーザに表示通知するためのものである。スピーカ１０６は、音声によってユーザに通知、警告をしたり、通信回線１１０を通して送受している信号音をモニタしたりするものである。ＭＯＤＥＭ１０７は、ファクシミリの送受信信号の変復調を行うものであり、ＮＣＵ１０８は、選択信号（ダイヤルパルスまたはトーンダイヤラ）を回線制御部１０９を介して通信回線１１０に送出する機能を有し、呼び出し音の検出による自動着信動作も行う。
【００１３】
画像処理部１１１は、読み取られた画像データに補正処理を施して高精細な画像データを出力するものである。スキャナ１１２は、ＣＳイメージセンサ、原稿搬送機構等で構成され、原稿を光学的に読み取って電気的な画像データに変換するものである。
【００１４】
操作部１１３は、ハードキー、タッチパネル等で構成され、オペレータが各種入力操作を行うためのものである。また、操作部１１３によりプリンタの各種サービススイッチの設定やテストプリントが可能である。プリンタフォーマッタ１１４は、プリンタドライバ等からのファイルデータのプリントを行う際に、プリンタ記述言語を解析し、画像データに変換するものである。プリンタ１１５は、受信画像やファイルデータを記録紙に記録する装置である。
【００１５】
［サービススイッチ］
本発明に係るファクシミリ装置においては、同報送信の禁止を設定するサービススイッチとして、表１に示すＢＩＴ４およびＢＩＴ５の２つのスイッチを具備している。
【００１６】
ここで、ＢＩＴ４はユーザー選択可能を意味するスイッチであり、ＢＩＴ４に１が設定されている場合は、同報送信時に宛先確認画面を表示させて、ユーザーが送信する／しないを確認することができる。ＢＩＴ５は同報送信禁止のスイッチである。ＢＩＴ５に０が設定されている場合、ユーザーは同報送信可能であり、一方でＢＩＴ５に１が設定されている場合、ユーザーは同報送信不可となる。
【００１７】
表１は、ＢＩＴ５とＢＩＴ４の組み合わせについて説明したものである。即ち、ＢＩＴ５とＢＩＴ４がともに０の場合、同報送信は禁止なし、即ち同報送信は許可される。ＢＩＴ５が１の場合は、ＢＩＴ４の設定値に関係なく同報送信は禁止される。ＢＩＴ５が０で、ＢＩＴ４が１の場合は、同報送信は許可されるが、同報送信時に確認画面を表示させて、ユーザーが送信する／しないを確認することができる。
【００１８】
【表１】
2013207462.tif 000003
さらに本発明に係るファクシミリ装置においては、宛先確認表示に係るサービススイッチとしてＢＩＴ６を具備している。
【００１９】
ＢＩＴ６はファクス送信時の宛先が１件のみの場合、送信を確認する画面を表示するスイッチである。つまり、ＢＩＴ６が１の場合、宛先が１件であれば送信時に宛先確認画面を表示させ、ユーザーが送信する／しないを確認することができる。一方、ＢＩＴ６が０の場合、宛先確認画面は表示されない。この場合、ユーザーは宛先を確認することなく、ファクスは送信される。
【００２０】
なお、これらのサービススイッチは機器の設置時や保守点検作業時に、サービスマンにより設定される設定値であり、サービススイッチを設定するためのサービス画面（不図示）を用いて設定することが可能である。このサービス画面は操作部１１３に表示されるが、通常ユーザーにはアクセスできないようになっている。
【００２１】
［サービススイッチ設定ＵＩ画面］
図２（ａ）（ｂ）は同報送信の禁止を設定するためのＵＩ画面である。この画面により、ユーザーは同報送信を禁止する／しないを設定することが可能である。なお、図２の（ａ）（ｂ）は同一の画面であり、サービススイッチの設定値に応じて図２（ａ）もしくは図２（ｂ）のいずれかが表示される。
【００２２】
ここで、図２（ａ）において２０３は「ＯＮ」ボタンであり、このボタンが選択されている場合、同報送信を禁止される。一方、２０４は「ＯＦＦ」ボタンであり、このボタンが選択されている場合、同報送信を許可される。
【００２３】
図２（ａ）は「ＯＦＦ」が選択されている画面であり、即ち同報送信が禁止されていることを示している。一方、図２（ｂ）は「ＯＮ」が選択されている画面であり、即ち同報送信が許可されていることを示している。
【００２４】
なお、図２（ａ）において２０１は「キャンセル」ボタンであり、２０２は「ＯＫ」ボタンである。「ＯＫ」ボタンが押下されると、現在の設定がサービススイッチの設定値に反映され、設定終了となる。
【００２５】
図３（ａ）〜（ｄ）は宛先確認表示を設定するためのＵＩ画面である。なお、図３の（ａ）〜（ｄ）は全て同一の画面であり、サービススイッチの設定値に応じて図３の（ａ）〜（ｄ）のいずれかが表示される。
【００２６】
ここで、図３（ａ）において３０３は「ＯＮ」ボタンであり、このボタンが選択されている場合、ファクス送信時に宛先確認画面が表示される。一方、３０４は「ＯＦＦ」ボタンであり、このボタンが選択されている場合、宛先確認画面は表示されない。なお、「ＯＮ」ボタン３０３が選択されている場合は、さらに３０５の「同報送信時のみ」ボタンと、３０６の「すべて」ボタンのいずれかを選択することができる。
【００２７】
図３（ａ）は「ＯＦＦ」が選択されている画面であり、即ち宛先確認は表示されない。
図３（ｂ）は「ＯＮ」が選択されて、さらに「同報送信時のみ」が選択されている画面であり、即ち同報送信時のみ宛先確認は表示される。
【００２８】
図３（ｃ）は「ＯＮ」が選択されて、さらに「すべて」が選択されている画面であり、即ち常に宛先確認は表示される。
【００２９】
図３（ｄ）は「ＯＮ」が選択されているが、「同報送信時のみ」ボタンと「すべて」ボタンはグレーアウト状態となり、選択することができない画面である。これは、同報送信が禁止されており、宛先確認は表示される場合に表示する画面である。
【００３０】
なお、図３（ａ）において３０１は「キャンセル」ボタンであり、３０２は「ＯＫ」ボタンである。「ＯＫ」が押下されると、現在の設定がサービススイッチの設定値に反映され、設定終了となる。
【００３１】
以上説明したように、本発明に係るファクシミリ装置においては、同報送信を許可するサービススイッチとして、ＢＩＴ４およびＢＩＴ５を具備しており、また、宛先が１件の場合の宛先確認表示に係るサービススイッチとしてＢＩＴ６を具備している。
【００３２】
一方で、ユーザーに表示するＵＩ画面として、同報送信の禁止を設定するためのＵＩ画面と、宛先確認表示を設定するためのＵＩ画面とを具備している。
【００３３】
本発明のポイントは、これらのサービススイッチの設定値と、ユーザーに表示されるＵＩ画面との対応付けにある。
【００３４】
［サービススイッチの設定値と、表示されるＵＩ画面の組合せ］
表２はサービススイッチの設定値と、その設定値に応じて操作部１３３に表示するＵＩ画面の組み合わせを示したものである。なお、表２においては説明を容易なものとするために、『Ｎｏ』の列を記載している。以下、『Ｎｏ』の順に表２を具体的に説明する。
【００３５】
＜Ｎｏ１＞
サービススイッチが全て０である。これは、同報送信が許可されており、かつ宛先確認画面は表示されないことを意味する。従って、同報送信禁止画面として図２（ａ）が表示され、宛先確認表示画面として図３（ａ）が表示される。
【００３６】
＜Ｎｏ２＞
ＢＩＴ５が１であるため、同報送信は必ず禁止となる。従って、同報送信禁止画面として図２（ｂ）が表示される。
また、ＢＩＴ６は０であるため宛先確認画面は表示されない。従って、宛先確認表示画面として図３（ａ）が表示される。
【００３７】
＜Ｎｏ３＞
ＢＩＴ５が０であり同報送信は許可されているため、同報送信禁止画面として図２（ａ）が表示される。なお、ＢＩＴ４が１であるため、同報送信時に確認画面が表示され、ユーザーが送信する／しないを確認することができる。
【００３８】
また、ＢＩＴ６は０であるため宛先確認画面は表示されない設定であるが、ＢＩＴ４が１であることを考慮し、宛先確認表示画面として図３（ｂ）が表示される。即ち、同報送信は許可されるが、同報送信時は宛先確認画面が表示される。
【００３９】
＜Ｎｏ４＞
ＢＩＴ５が１であるため、同報送信は必ず禁止となる。従って、同報送信禁止画面として図２（ｂ）が表示される。なお、ＢＩＴ４が１であるが、この場合ＢＩＴ５により同報送信自体が禁止となっているため、同報送信時の確認画面を制御するＢＩＴ４は意味を為さない。
【００４０】
また、ＢＩＴ６は０であるため宛先確認画面は表示されない。従って、宛先確認表示画面として図３（ａ）が表示される。
【００４１】
＜Ｎｏ５＞
ＢＩＴ５、ＢＩＴ４ともに０であるため、同報送信は許可される。従って、同報送信禁止画面として図２（ａ）が表示される。
【００４２】
一方、ＢＩＴ６は１であるため、宛先が１件であれば送信時に宛先確認画面が表示されることを意味する。このサービススイッチの組み合わせは、同報送信を許可するが、宛先が１件の場合は確認画面を表示するというユーザーにとって意味のない組み合わせである。従って、このケースにおいてはＢＩＴ６の設定値は無視して、宛先確認表示画面として図３（ａ）を表示させる。
【００４３】
＜Ｎｏ６＞
ＢＩＴ５が１であるため、同報送信は必ず禁止となる。従って、同報送信禁止画面として図２（ｂ）が表示される。
【００４４】
一方、ＢＩＴ６は１であるため、宛先が１件であれば送信時に宛先確認画面が表示されることを意味する。このサービススイッチの組み合わせは、同報送信が禁止されていることにより、常に宛先は１件となり、送信時に確認画面を表示するものである。従って、宛先確認表示画面として図３（ｄ）が表示される。
【００４５】
＜Ｎｏ７＞
ＢＩＴ５が０であり同報送信は許可されているため、同報送信禁止画面として図２（ａ）が表示される。なお、ＢＩＴ４が１であるため、同報送信時に確認画面が表示され、ユーザーが送信する／しないを確認することができる。
【００４６】
一方、ＢＩＴ６は１であるため、宛先が１件であれば送信時に宛先確認画面が表示されることを意味するが、ＢＩＴ４が１であることを考慮し、宛先確認表示画面として図３（ｃ）が表示される。即ち、同報送信は許可されるが、常に宛先確認画面が表示される。
【００４７】
＜Ｎｏ８＞
ＢＩＴ５が１であるため、同報送信は必ず禁止となる。従って、同報送信禁止画面として図２（ｂ）が表示される。なお、ＢＩＴ４が１であるが、この場合ＢＩＴ５により同報送信自体が禁止となっているため、同報送信時の確認画面を制御するＢＩＴ４は意味を為さない。
【００４８】
一方、ＢＩＴ６は１であるため、宛先が１件であれば送信時に宛先確認画面が表示されることを意味する。このサービススイッチの組み合わせは、同報送信が禁止されていることにより、常に宛先は１件となり、送信時に確認画面を表示するものである。従って、宛先確認表示画面として図３（ｄ）が表示される。
【００４９】
【表２】
2013207462.tif 000004
［ＵＩ画面上での設定と、サービススイッチの設定値の組合せ］
表３は、操作部１３３に表示される宛先確認表示を設定するＵＩ画面と、そのＵＩ画面に応じて設定されるサービススイッチの設定値の組み合わせである。前述した表２の場合とは逆に、ユーザーがＵＩ画面上で設定した際に、サービススイッチに設定される設定値を示している。
【００５０】
表３において、Ｎｏ１〜Ｎｏ４は同報送信が許可されている場合の設定値を示している。即ち、ＢＩＴ５の設定値として０が設定されており、同報送信禁止画面として図２（ａ）が表示される状態である。一方で、Ｎｏ５〜Ｎｏ８は同報送信が禁止されている場合の設定値を示している。即ち、ＢＩＴ５の設定値として１が設定されており、同報送信禁止画面として図２（ｂ）が表示される状態である。
【００５１】
例えば、Ｎｏ１は宛先確認表示を設定するＵＩ画面として、図３（ａ）が表示されており、この画面において「ＯＫ」ボタンを押下するとＢＩＴ６＝０、ＢＩＴ５＝０、ＢＩＴ４＝０がそれぞれのサービススイッチに設定される。
【００５２】
ここで、Ｎｏ４は、図３（ｄ）の画面が表示されている状態を示しているが、同報送信が許可されているため、この画面は実際には表示されない。従って、このＵＩ画面に対応するサービススイッチの組み合わせは存在しない。
【００５３】
また、Ｎｏ６およびＮｏ７は、それぞれ図３（ｂ）および図３（ｃ）の画面が表示されている状態を示しているが、同報送信が禁止されているため、この画面は実際には表示されない。従って、このＵＩ画面に対応するサービススイッチの組み合わせは存在しない。
【００５４】
【表３】
2013207462.tif 000005
なお、同報送信禁止画面として図２（ａ）が表示されている状態で、「ＯＫ」ボタンを押下するとＢＩＴ５＝０がサービススイッチに設定される。また、同報送信禁止画面として図２（ｂ）が表示されている状態で、「ＯＫ」ボタンを押下するとＢＩＴ５＝１がサービススイッチに設定される。
【００５５】
最後に、図４のフローチャートを使用して、前述したサービススイッチと宛先確認画面表示の動作を説明する。図４は、本発明の実施例に係るファクシミリ装置の送信動作の一例を示すフローチャートである。
【００５６】
ユーザーが本実施例におけるファクシミリ装置を用いて画像送信を行う場合、初期状態から、まず操作部１１３を操作して、画像の送信宛先を設定する。ここでは複数の送信宛先を設定することができ、設定した送信宛先はＲＡＭ１０３に格納される。
【００５７】
なお、テンキーの操作によって直接ダイヤル番号を入力する場合に加えて、短縮ダイヤルやワンタッチダイヤルを利用して宛先を設定する場合、さらには予め登録しておいた同報グループを指定して宛先を設定する場合も含まれる。
【００５８】
そして、オペレータは１つ以上の宛先を設定後、スキャナ１１２に送信画像をセットし、操作部１１３を操作することで装置に対し送信要求を行う（Ｓ４０１）。
【００５９】
送信要求が発生した（Ｓ４０１）後、ＲＡＭ１０３に格納された送信宛先数が２つ以上あるかどうかを判断する（Ｓ４０２）。宛先数が２つ以上でないと判断された場合、すなわち宛先が１つである場合は、次の処理（Ｓ４０４）に移行する。
【００６０】
一方、Ｓ４０２において、宛先数が２つ以上であると判断された場合は、さらにＳ４０３において、同報送信に係るサービススイッチ（ＢＩＴ５）の設定値を確認し、同報送信が許可されている場合（ＢＩＴ５＝０）であれば、次の処理（Ｓ４０４）に移行する。これに対し、同報送信が禁止されている場合（ＢＩＴ５＝１）ば、外部表示部１０５に同報送信が禁止であるメッセージを表示させて、直ちに処理を終了する。
【００６１】
次に、Ｓ４０４にて宛先確認画面を表示する設定になっているかを判定する。具体的にはサービススイッチの設定値が表２のＮｏ３、Ｎｏ６、Ｎｏ７、Ｎｏ８の組合せであれば、Ｓ４０５にて外部表示部１０５に宛先を確認する画面を表示する。これに対し、設定値が宛先確認表示をしない設定であれば、宛先を確認する画面を表示することなく画像送信（Ｓ４０６）に移行する。なお、Ｓ４０５にて表示される宛先確認画面において、ユーザーは宛先を確認すると共に、送信する／しないを選択することが可能である。ここで送信しないを選択すると、直ちに処理を終了する。
【００６２】
ここでいう画像送信とは、発呼、画像データ送信、回線解放等の一連の動作を意味する。画像送信を行う時点で送信画像データが蓄積メモリ１０４にない場合には、画像データの読み取り動作も画像送信Ｓ４０６に含むものとする。また、タイマ送信機能等のように、所定の時刻になるまで、または、所定時間が経過するまで画像送信Ｓ４０６の動作を行わない状況もありうる。
【００６３】
なお、ここでは宛先を設定してからスキャナ１１２に送信画像をセットする例を挙げたが、スキャナ１１２に送信画像をセットしてから宛先を設定してもよいし、場合によっては、スキャナ１１２を通して送信画像を読み込ませてから宛先を設定してもよい。
【００６４】
なお、以上のような動作は、ＣＰＵ１０１がＲＯＭ１０２やＲＡＭ１０３等に記憶したプログラムに基づいて実行するものであるが、本発明は、このようなプログラムをフロッピディスクやハードディスク、あるいは光ディスクや光磁気ディスク、あるいはＣＤ−ＲＯＭやメモリカード等の各種外部記憶媒体に格納し、これを専用の読取装置によってファクシミリ装置内に取り込み、これをＣＰＵ１０１で実行するようにしてもよい。
【００６５】
以上説明したように、本発明に係るファクシミリ装置によると、ＢＩＴ４、ＢＩＴ５、ＢＩＴ６各のサービススイッチに対して、いかなる設定値が設定された場合であっても、矛盾することなく、同報送信の禁止、および、宛先確認表示の設定に係るＵＩ画面をユーザーに表示可能である。
【符号の説明】
【００６６】
１０１…ＣＰＵ、
１０２…ＲＯＭ、
１０３…ＲＡＭ、
１０４…蓄積メモリ、
１０５…外部表示部、
１０６…スピーカ、
１０７…ＭＯＤＥＭ、
１０８…ＮＣＵ、
１０９…回線制御部、
１１０…通信回線、
１１１…画像処理部、
１１２…スキャナ、
１１３…操作部、
１１４…プリンタフォーマッタ、
１１５…プリンタ。
【図１】
2013207462.tif 000006
【図２】
2013207462.tif 000007
【図３】
2013207462.tif 000008
【図４】
2013207462.tif 000009